(57)【要約】      （修正有）【課題】就寝中の災害発生時に脱出に必要となる用具をすぐに取り出せて、持出物を迅速・安全に搬送することができる非常持出袋に、安眠を促す枕機能を兼ね備えること。【解決手段】難燃性・撥水性・断熱性に優れた生地を用いた背中に背負うことができ筒状の袋体の中を、クッション性を有し枕素材に適したキルティング地２０ａ・２０ｂ・２０ｃの３枚を、ふたつの収容口１１ｃ・１１ｄから同容量の分別収納ができるように配置し、また袋体の反転利用も可能にした。これによって、非常時には脱出に必要な用具だけをすぐに取り出して、その他持出物が収容されたままの袋を背負うだけで、迅速・安全な建物避難ができる。また袋を反転させるとキルティング生地が袋全体を覆って、素材と形状が安眠できる枕に変化し、避難所生活の寝具としても役立つものである。【選択図】図２
2007181506.tif 000002
【特許請求の範囲】
【請求項１】
難燃性・撥水性・断熱性に優れた生地を用いて２辺が開放する筒布体を構成し、外部には背中に背負える手段を設けると共に、クッション性を有する枕素材に適した内生地を筒布体内部に挿入し、筒布体と側面２辺は一体に、開放２辺は隣接する片方の面とを、開放２辺が互い違いの面になるよう各１辺ずつ一体にして、それぞれの開放口を一連に設けたファスナーによって開閉自在にした枕兼用非常持出袋。
【請求項２】
難燃性・撥水性・断熱性に優れた生地を用いて２辺が開放する筒布体を構成し、外部には背中に背負える手段を設けると共に、クッション性を有する枕素材に適した内生地２枚を筒布体内部に挿入し、１枚は隣接する筒布体面と４辺を一体にして、もう一枚は、筒布体と側面２辺は一体に、開放２辺は隣接する片方の面とを、開放２辺が互い違いの面になるよう各１辺ずつ一体にして、それぞれの開放口を一連に設けたファスナーによって開閉自在にした枕兼用非常持出袋。
【請求項３】
難燃性・撥水性・断熱性に優れた生地を用いて２辺が開放する筒布体を構成し、外部には背中に背負える手段を設けると共に、クッション性を有する枕素材に適した内生地３枚を筒布体内部に挿入し、２枚は筒布体と隣接する面同士それぞれ４辺を一体にして、もう一枚は筒布体と側面２辺は一体に、開放２辺は隣接する片方の面とを、開放２辺が互い違いの面になるよう各１辺ずつ一体にして、それぞれの開放口を一連に設けたファスナーによって開閉自在にした枕兼用非常持出袋。
【請求項４】
難燃性・撥水性・断熱性に優れた生地を用いて２辺が開放する筒布体を構成し、外部には背中に背負える手段を設けると共に、クッション性を有する枕素材に適した内生地を筒布体内部に挿入し、隣接する筒布体面と４辺を一体にして、一方の開放口はすべてを合わせて閉塞し、もう一方の開放口には一連に設けたファスナーによって開閉自在にした枕兼用非常持出袋。
【請求項５】
難燃性・撥水性・断熱性に優れた生地を用いて２辺が開放する筒布体を構成し、外部には背中に背負える手段を設けると共に、クッション性を有する枕素材に適した内生地２枚を筒布体内部に挿入し、２枚は筒布体と隣接する面同士それぞれ４辺を一体にして、一方の開放口はすべてを合わせて閉塞し、もう一方の開放口には一連に設けたファスナーによって開閉自在にした枕兼用非常持出袋。
【発明の詳細な説明】
【技術分野】
【０００１】本発明は、災害時の安全な脱出と避難生活に役立つ非常持出袋に関する。
【背景技術】
【０００２】従来、枕機能を兼用した袋は色々考えられていた。例えば、夜間に寝ているときの災害発生に備えて、難燃性の布を使用して、内側の下辺部にポケットをつけた防災頭巾と、そばがら入り袋を、チャックつきの入り口と両側に手さげ紐をつけた枕カバー内に収納した枕兼用の防災頭巾収納袋（特許文献１参照）や、チャックによって開閉する枕兼用の袋体の上端内側に一体型に形成した折り畳み頭巾を収容し、袋体の内壁面左右に肩掛けバンドを取り付け、肩部に非常持出物の収容部を設けて、枕そのものが防災頭巾と一体型になった非常持出袋に変化する枕兼用の防災頭巾収納袋（特許文献２参照）などがある。【特許文献１】実開昭５７−１２０３７４号公報
【特許文献２】実開昭５３−６８７１５号公報
【発明の開示】
【発明が解決しようとする課題】
【０００３】以上に述べた従来の防災用具を収容した枕兼用袋では、就寝中の夜間災害発生時に、枕兼用袋からすぐに取り出して屋外へ脱出作業に使用する非常用具と、室内から持ち出すために枕兼用袋に収容しておく貴重品や避難生活での簡易寝具となる毛布、マットなどの持出物との、取り出し時期と使用目的が異なる収容物の明確な分別収納ができず、また、双方の収容物を十分に収納するためのスペースも確保されていなかった。【０００４】また、災害発生時の屋外への困難な脱出作業において、袋を背負った際袋内の収容物から背中を保護する機能と、袋内収容物の破損を保護する機能もない。災害時の困難な屋外への脱出作業が予想される中で、迅速に安全な脱出行動を行うための十分な機能を果たせていなかった。さらに従来の発明では、火災・粉塵・雨水・太陽熱などから収納物を守る非常持出袋と寝具として肌触りやクッション性が求められる枕を同一素材によって兼用しているが、非常持出袋としての機能を最大限に発揮する生地では安眠をとる枕機能が不十分で、特にカバーとなるものがない避難生活での寝具としては、安眠を満たす構造になっていなかった。
【課題を解決するための手段】
【０００５】そこで上記課題を解決するために本発明は、非常持出袋の中に少なくとも１つのクッション性を有する枕素材に適したキルティング地を入れて、収納機能と枕機能を有する袋を考えた。難燃性・撥水性・断熱性に優れた生地を用いて２辺が開放する筒布体を構成し、外部には背中に背負える手段を設けると共に、クッション性を有する枕素材に適した内生地を筒布体内部に挿入し、筒布体と側面２辺は一体に、開放２辺は筒布体と隣接するいずれかの面とを、開放２辺が互い違いの面になるよう１辺を一体にして、それぞれの開放口を一連に設けたファスナーによって開閉自在にした枕兼用非常持出袋を考えた。【０００６】また、難燃性・撥水性・断熱性に優れた生地を用いて２辺が開放する筒布体を構成し、外部には背中に背負える手段を設けると共に、クッション性を有する枕素材に適した内生地２枚を筒布体内部に挿入し、１枚は隣接する筒布体面と４辺を一体にして、もう一枚は、筒布体と側面２辺は一体に、開放２辺は筒布体と隣接するいずれかの面とを開放２辺が互い違いの面になるよう１辺を一体にして、それぞれの開放口を一連に設けたファスナーによって開閉自在にした枕兼用非常持出袋を考えた。【０００７】また、難燃性・撥水性・断熱性に優れた生地を用いて２辺が開放する筒布体を構成し、外部には背中に背負える手段を設けると共に、クッション性を有する枕素材に適した内生地３枚を筒布体内部に挿入し、２枚は筒布体と隣接する面同士それぞれ４辺を一体にして、もう一枚は筒布体と側面２辺は一体に、開放２辺は筒布体いずれかの面とを開放２辺が互い違いの面になるよう１辺を一体にして、それぞれの開放口を一連に設けたファスナーによって開閉自在にした枕兼用非常持出袋を考えた。【０００８】また、難燃性・撥水性・断熱性に優れた生地を用いて２辺が開放する筒布体を構成し、外部には背中に背負える手段を設けると共に、クッション性を有する枕素材に適した内生地を筒布体内部に挿入し、隣接する筒布体面と４辺を一体にして、一方の開放口はすべてを合わせて閉塞し、もう一方の開放口には一連に設けたファスナーによって開閉自在にした枕兼用非常持出袋を考えた。【０００９】また、難燃性・撥水性・断熱性に優れた生地を用いて２辺が開放する筒布体を構成し、外部には背中に背負える手段を設けると共に、クッション性を有する枕素材に適した内生地２枚を筒布体内部に挿入し、２枚は筒布体と隣接する面同士それぞれ４辺を一体にして、一方の開放口はすべてを合わせて閉塞し、もう一方の開放口には一連に設けたファスナーによって開閉自在にした枕兼用非常持出袋を考えた。【００１０】上記で記載した難燃性・撥水性・断熱性に優れた生地とは、アルミックス・ローランド生地を用いる。またクッション性を有する枕素材に適した生地については、表面が綿を用いたキルティング生地や、２枚の綿生地で綿材となるものを挟み込んだ構成のものを指す。
【発明の効果】
【００１１】上述したように本発明の枕兼用非常持出袋は、袋の上部と底部にふたつの収納口を設けて、同容量での分類収納ができるスペースを設けたことで、災害に備えて収納しておく、取り出し時期の異なる脱出用具と持出用具を十分量、袋内で分別して収納しておくことができる。災害発生時には、脱出行動に必要となる用具だけをすぐに取り出して身に装着すると共に、避難生活用品などの持出物が納まったままの袋を背負うだけで、迅速な脱出行動ができる。【００１２】また脱出時には、袋内側のクッション性を有するキルティング地によって、袋内の持出物３２による圧迫から背中を保護しながらの行動ができ、同時に袋内の持出物を保護しながら搬出できる。また、難燃性・撥水性・断熱性を有する外袋とクッション性を有する内袋をリバーシブル構造にしたことで、災害脱出に必要な袋機能と、安眠性が求められる枕機能の両方に適した素材と形状を、ひとつの袋で使い分けることができる。【００１３】災害脱出に適した袋機能としては上記で記載した効果を発揮し、枕機能としては、内袋を表面に反転させることによって、非常持出袋として機能する難燃性・撥水性・断熱性を有する外袋、ショルダー紐やバンド・ポケット・カバーなどが袋内部に収容され、貴重品や避難生活用具をクッション材となる防災頭巾で包み込んでから袋内に収容し、リバーシブルファスナーで収納口を閉塞することで、クッション性を有する内袋と防災頭巾によって、用具の破損を防止するとともに、頭部のクッション性も同時に高めて安眠がとれる機能を持たせている。【００１４】また、外袋のまま枕カバーを装着して枕として使用する場合にでも、ショルダー紐やバンド・ポケット・カバーなどを床下面になるように配置した外袋は、クッション性を高めた防災頭巾によって寝心地を高め、頭部によって加重がかかる外袋内の各用具を、クッション性を持たせた内袋によって用具間と床下間への圧迫から保護し、用具の破損を防止ながら安眠できる避難まくらとしての利用ができる機能も持たせている。
【発明を実施するための最良の形態】
【００１５】以下、本発明の実施の形態を図１〜図２に基づいて説明する。まず図１において、実施形態のすべてに共通する袋体１０について説明する。袋体１０は表面に防炎・撥水・断熱・防傷性を有するアルミックス・ローランド生地を用いて筒状に縫合された長方形状の筒布体１１からなるものである。この筒布体の天井に向いた面を１１ａ面、床側に向いた面を１１ｂ面として説明する。筒布体１１の収容口１１ｃ付近に、筒布体１１と同素材の生地を用いたカバー１２を設け、カバー１２によって収容口１１ｃを包んで保護できるようボタン１３ａ・１３ｂを設ける。また、そのカバーを取り付けた反対の面には筒布体１１と同素材の生地を用いた布体１４を配置してから三方を縫製し、開放口は一連に設けたファスナー１５により開閉自在なポケットを構成する。【００１６】そして、収容口１１ｃ付近の１１ａ面・１１ｂ面には、両側方が開放するように設けた紐通路１６ａ・１６ｂに、２本の紐１７ａ・１７ｂで開放口１１ｃを絞れるように通してから、収容口１１ｄ付近の両側面に各々設けた紐通路１８ａ・１８ｂに独立して結ぶ。上記の構成によって収容口１１ｃを紐１７ａ・１７ｂで閉塞でき、筒布体１１を背中に背負える手段を施した筒形状の袋体１０である。【００１７】袋体１０に３枚のキルティング地２０ａ・２０ｂ・２０ｃを用いて構成した袋体について図２（Ａ）に基づいて説明する。袋体１０を１１ｂ面が上を向くように反転させて配置し、袋体１０の中へ枕に適した素材を用いたクッション性を有するキルティング地を上から２０ｃ、２０ａ、２０ｂの順にして挿入し、両側辺は袋体１０と一体にする。収容口１１ｃは、１１ｂ面側の辺とキルティング地２０ｃ・２０ａを合わせて縫合し、１１ａ面側の辺とキルティング地２０ｂを合わせて縫合する。収容口１１ｄは、１１ｂ面側の辺とキルティング地２０ｃを合わせて縫合し、１１ａ面側の辺とキルティング地２０ａ、２０ｂと合わせて縫合する。その収容口１１ｃと１１ｄには、各々一連のリバーシブルファスナー２１ａ・２１ｂを設ける。異なるふたつの収容口から同容量の分別収納ができ、袋体の反転利用を可能にした枕兼用非常持出袋である。【００１８】そして次には図２（Ｂ）に基づいて説明する。上記の構成による袋体の収容口１１ｃからは、毛布、敷マットなどの避難所寝具や避難生活用品など、災害時に屋外へ持ち出すことを目的とする持出物３２を収容する。また、収容口１１ｄからは、難燃布と難燃綿で構成されたクッション性を有する防災頭巾３０を挿入し、その下部には、スリッパ、軍手、マスク、懐中電灯、救命ブザーなどの、災害発生時に屋外脱出行動に必要となる脱出用具３１を収容する。また、綿生地を用いて３方が縫製された袋体の開放辺に、一連に設けたファスナー３４によって開閉自在にした枕カバー３３を、ファスナー３４とファスナー２１ｂが合一側になるよう袋体に被せる。【００１９】上記は、日常から防災用具を枕元へ備えることを目的とした構成である。袋体内の防災頭巾３０のクッション性によって頭部を保護し、安眠できる枕として利用ができ、その際に袋体が受ける頭部からの圧迫を、防災頭巾３０・キルティング地２０ａ・２０ｂ・２０ｃによって包み込まれた脱出用具３１と持出物３２を保護できる。災害発生時には、枕カバー３３のファスナー３４を開放し、収容口１１ｄから脱出時に必要となる防災頭巾３０と脱出用具３１を速やかに取り出して身体に装着し、枕カバー３３から持出物３２が収容されたままの袋体を取り出して背負う。脱出時には、袋内側のクッション性を有するキルティング地によって、袋内の持出物３２による圧迫から背中を保護しながらの行動ができ、同時に袋内の持出物を保護しながら搬出できる。上記の構成によって、日常から迅速・安全な脱出行動が行える防災用具収容の非常持出袋を枕内に備えることができる。【００２０】また、図２（Ｃ）は袋体を裏返して使用した際の構成を示すもので、災害時の避難所生活での寝具として利用する際の構成である。収容口１１ｃ・１１ｄのいずれかより袋体の内側が表になるように裏返した際には、袋体のポケット、カバー、紐などが内部に収容されると同時に、キルティング地２０ａが外側面の一方に露出されることで、枕カバーがなくても袋体そのものを枕に適した素材と形状へ変化させることができる。そして防災頭巾３０でその他用具を包んで収容口１１ｃへ挿入することで、クッション性を兼ね備えた枕になり、頭部から受ける袋体内への圧迫から、防災頭巾とキルティング地によって収容物も保護できる。持出物３２の敷マット・毛布との併用で、災害時の避難所生活でも安心な睡眠がとれる一式の寝具となる。防災用具収納枕、非常持出袋、避難所用枕として、すべての使用目的に対して十分な機能を発揮できる枕兼用非常持出袋である。
【実施例１】
【００２１】別の実施例を図３に基づいて説明する。袋体１０を１１ｂ面が上を向くように反転させて配置し、袋体１０の中へ枕に適した素材を用いたクッション性を有するキルティング地２枚を上から２０ａ、２０ｂの順にして挿入し、両側辺は袋体１０と一体にする。収容口１１ｃは、１１ｂ面側の辺とキルティング地２０ａを合わせて縫合し、１１ａ面側の辺とキルティング地２０ｂを合わせて縫合する。収容口１１ｄは、１１ａ面側の辺とキルティング地２０ａ・２０ｂを合わせて縫合する。その収容口１１ｃと１１ｄには、各々一連のリバーシブルファスナー２１ａ・２１ｂを設けることで、異なるふたつの収容口から同容量の分別収納ができ、袋体の反転利用を可能にした枕兼用非常持出袋である。図３（Ｂ）、図３（Ｃ）はそれの使用方法を断面図にて説明したものである。
【実施例２】
【００２２】別の実施例を図４に基づいて説明する。袋体１０を１１ｂ面が上を向くように反転させて配置し、袋体１０の中へ枕に適した素材を用いたクッション性を有するキルティング地２０ａを挿入し、両側辺は袋体１０と一体にする。収容口１１ｃは、１１ｂ面側の辺とキルティング地２０ａを合わせて縫合し、収容口１１ｄは、１１ａ面側の辺とキルティング地２０ａを合わせて縫合する。その収容口１１ｃと１１ｄには、各々一連のリバーシブルファスナー２１ａ・２１ｂを設けることで、異なるふたつの収容口から同容量の分別収納ができ、袋体の反転利用を可能にした枕兼用非常持出袋である。図４（Ｂ）、図４（Ｃ）はそれの使用方法を断面図にて説明したものである。
【実施例３】
【００２３】別の実施例を図５に基づいて説明する。袋体１０を１１ｂ面が上を向くように反転させて配置し、袋体１０の中へ枕に適した素材を用いたクッション性を有するキルティング地１枚を上から２０ａ、２０ｂの順にして挿入し、両側辺は袋体１０と一体にする。収容口１１ｃは、１１ｂ面側の辺とキルティング地２０ａを合わせて縫合し、１１ａ面側の辺とキルティング地２０ｂを合わせて縫合する。収容口１１ｄは、すべてを合わせて縫合する。その収容口１１ｃには、一連のリバーシブルファスナー２１ａを設けることで、袋体の反転利用を可能にした枕兼用非常持出袋である。図５（Ｂ）、図５（Ｃ）はそれの使用方法を断面図にて説明したものである。
【実施例４】
【００２４】別の実施例を図６に基づいて説明する。袋体１０を１１ｂ面が上を向くように反転させて配置し、袋体１０の中へ枕に適した素材を用いたクッション性を有するキルティング地２０ａを挿入し、両側辺は袋体１０と一体にする。収容口１１ｃは、１１ｂ面側の辺とキルティング地２０ａを合わせて縫合し、収容口１１ｄは、すべてを合わせて縫合する。その収容口１１ｃには、一連のリバーシブルファスナー２１ａを設けることで、袋体の反転利用を可能にした枕兼用非常持出袋である。【００２５】上記のすべての実施形態についての説明において述べる。記載してあるキルティング地による構成は、独立した２０ａ・２０ｂ・２０ｃによる個別の布を合わせる方法を説明しているが、これら以外に１枚の布で２重、３重に折り返したもので構成してもよい。また、キルティング地を挿入した際の袋体の両側面との縫製は、キルティング地を重ねたもしくは折り重ねた状態で側面を縫製して筒状に構成してから挿入してもよい。また、肩に背負うための手段としては、紐６ａ・６ｂ以外にショルダーベルトやバンドとなるものを構成してもよい。また収容口を閉塞するリバーシブルファスナーの代わりに、表裏両面からの開閉が自在となるマジックテープやボタンなどを用いてもよい。またキルティング地の代わりに、保護機能は失われるが、枕素材として適した綿などクッション性を持たないものを用いてもよい。また、袋体１０内にキルティング時を挿入せずに、アルミックスもしくはローランド生地と枕に適した綿などの生地とでクッションとなる綿などを挟み込み、クション性を有する布筒体を構成してもよい。
【図面の簡単な説明】
【００２６】
【図１】本発明に共通する筒形状の袋体１０の外観図
【図２】本発明の構成と使用形態を表した断面図
【図３】本発明の別実施例１を示した図
【図４】本発明の別実施例２を示した図
【図５】本発明の別実施例３を示した図
【図６】本発明の別実施例４を示した図
【符号の説明】
【００２７】  １０    袋体  １１    筒布体  １１ａ，１１ｂ  筒布体の面表示  １１ｃ，１１ｄ  筒布体の収容口  １２    カバー  １３ａ，１３ｂ  ボタン  １４    ポケット布  １５    ファスナー  １６ａ，ｂ    紐通路  １７ａ，ｂ    紐  １８ａ，ｂ    紐通路  １９ｃ，１１ｄ  筒布体の収容口  ２０ａ，ｂ，ｃ    キルティング地  ２１ａ，ｂ  リバーシブルファスナー  ３０    防災頭巾  ３１    脱出用具  ３２    持出物  ３３    枕カバー  ３４    ファスナー
【図１】
2007181506.tif 000003
【図２】
2007181506.tif 000004
【図３】
2007181506.tif 000005
【図４】
2007181506.tif 000006
【図５】
2007181506.tif 000007
【図６】
2007181506.tif 000008